(57)【要約】【課題】本技術は、複数のＬＥＤのうちの一部が故障した場合でも、故障していない残りのＬＥＤを適切に点灯させることができる光源制御装置および光源制御方法に関する。【解決手段】光源制御装置は、複数の光源（１、２）の並列接続体（１００）へ電流を供給するために、並列接続体の一端および他端に接続される電流供給部（４００）と、並列接続体に印加される電圧を検出し、当該電圧を検出電圧として出力するために、並列接続体の一端および他端に接続される電圧検出部（３００）と、並列接続体における少なくとも１つの光源が故障した場合でも他の光源の点灯が継続できるように、検出電圧に基づいて電流供給部から並列接続体への電流供給を制御する制御部（９００）とを備える。【選択図】図１
2016162712.tif 000002
【特許請求の範囲】
【請求項１】
並列接続された複数の光源を制御する光源制御装置であり、
複数の前記光源の並列接続体へ電流を供給するために、前記並列接続体の一端および他端に接続される電流供給部と、
前記並列接続体に印加される電圧を検出し、当該電圧を検出電圧として出力するために、前記並列接続体の一端および他端に接続される電圧検出部と、
前記並列接続体における少なくとも１つの前記光源が故障した場合でも他の前記光源の点灯が継続できるように、前記検出電圧に基づいて前記電流供給部から前記並列接続体への電流供給を制御する制御部とを備える、
光源制御装置。
【請求項２】
前記並列接続体の各並列電流経路において、各前記光源に直列に接続されたスイッチをさらに備え、
前記電圧検出部が、前記並列接続体に印加される前記電圧を時系列に沿って順次検出し、
前記制御部が、前記検出電圧が上昇した場合に、複数の前記光源のうちの１つの前記光源のみへ電流が供給されるように、前記スイッチを制御し、
前記電圧検出部が、前記スイッチの制御によって電流供給された各前記光源に印加される前記電圧を検出し、当該電圧を単独電圧として出力し、
前記制御部が、前記単独電圧が開放電圧である場合に、当該単独電圧が印加される前記光源への電流供給が遮断されるように、前記スイッチを制御する、
請求項１に記載の光源制御装置。
【請求項３】
前記並列接続体の各並列電流経路において、各前記光源に直列に接続されたスイッチをさらに備え、
前記電圧検出部が、前記並列接続体に印加される前記電圧を時系列に沿って順次検出し、
前記制御部が、前記検出電圧が下降した場合に、複数の前記光源のうちの１つの前記光源のみへ電流が供給されるように、前記スイッチを制御し、
前記電圧検出部が、前記スイッチの制御によって電流供給された各前記光源に印加される前記電圧を検出し、当該電圧を単独電圧として出力し、
前記制御部が、前記単独電圧が他の前記光源に印加される前記単独電圧よりも低い前記光源への電流供給が遮断されるように、前記スイッチを制御する、
請求項１に記載の光源制御装置。
【請求項４】
電流供給が遮断された前記光源に関する情報を表示する表示部をさらに備える、
請求項２または請求項３に記載の光源制御装置。
【請求項５】
前記制御部が、複数の前記光源の定格電流値より小さくなるように、前記並列接続体への電流供給を制御する、
請求項１から請求項４のうちのいずれか１項に記載の光源制御装置。
【請求項６】
並列接続された複数の光源を制御する光源制御方法であり、
複数の前記光源の並列接続体へ電流を供給し、
前記並列接続体に印加される電圧を検出し、当該電圧を検出電圧として出力し、
前記並列接続体における少なくとも１つの前記光源が故障した場合でも他の前記光源の点灯が継続できるように、前記検出電圧に基づいて前記並列接続体への電流供給を制御する、
光源制御方法。
【請求項７】
前記並列接続体に印加される前記電圧を時系列に沿って順次検出し、
前記検出電圧が上昇した場合に、複数の前記光源のうちの１つの前記光源のみへ電流が供給されるように、スイッチを制御し、
前記スイッチの制御によって電流供給された各前記光源に印加される前記電圧を検出し、当該電圧を単独電圧として出力し、
前記単独電圧が開放電圧である場合に、当該単独電圧が印加される前記光源への電流供給が遮断されるように、前記スイッチを制御する、
請求項６に記載の光源制御方法。
【請求項８】
前記並列接続体に印加される前記電圧を時系列に沿って順次検出し、
前記検出電圧が下降した場合に、複数の前記光源のうちの１つの前記光源のみへ電流が供給されるように、スイッチを制御し、
前記スイッチの制御によって電流供給された各前記光源に印加される前記電圧を検出し、当該電圧を単独電圧として出力し、
前記単独電圧が他の前記光源に印加される前記単独電圧よりも低い前記光源への電流供給が遮断されるように、前記スイッチを制御する、
請求項６に記載の光源制御方法。
【発明の詳細な説明】
【技術分野】
【０００１】
本技術は、光源制御装置および光源制御方法に関し、特に、発光ダイオード（Ｌｉｇｈｔ  Ｅｍｉｔｔｉｎｇ  Ｄｉｏｄｅ、すなわちＬＥＤ）またはレーザーなどの光源を複数使用する場合の、光源制御装置および光源制御方法に関するものである。
【背景技術】
【０００２】
近年、投写型映像表示装置の光源として、並列接続された複数のＬＥＤの集合体を使用することが提案されている。ＬＥＤを並列接続する利点としては、低い電圧で、数多くのＬＥＤの駆動が可能となることが挙げられる。また、複数のＬＥＤを点灯させることにより、高輝度の光源を得られることが挙げられる。さらに、従来のランプ光源機種に比べて装置全体の消費電力を抑えられることが挙げられる。
【０００３】
このような複数のＬＥＤ光源の点灯を制御する装置としては、マイクロコンピューター（ｍｉｃｒｏｃｏｍｐｕｔｅｒ、すなわちマイコン）などを備える装置が考えられる。ＬＥＤは、供給される電流に応じて、輝度を変化させられることが知られている。よって、使用者が希望する輝度を得るために、マイコンなどの制御装置を用いてＬＥＤに供給される駆動電流を制御する構成が採用されている。
【０００４】
希望するＬＥＤ光源の輝度を得るために、駆動電流をマイコンなどの制御装置を用いて制御する方法としては、たとえば、特許文献１および特許文献２に開示されている技術がある。
【先行技術文献】
【特許文献】
【０００５】
【特許文献１】特開２００７−０９５３９１号公報
【特許文献２】特開２００７−０９６１１３号公報
【発明の概要】
【発明が解決しようとする課題】
【０００６】
しかし、複数のＬＥＤを並列接続して用いる場合には、複数のＬＥＤのうちの１つでも故障してしまうと、残りすべてのＬＥＤを含めて点灯させることができなくなってしまうという問題点があった。
【０００７】
たとえば、複数のＬＥＤのうちの１つが短絡故障により消灯した場合には、短絡故障したＬＥＤに定電流回路からの駆動電流が集中して供給されることにより、すべてのＬＥＤが不点灯となる。
【０００８】
また、複数のＬＥＤのうちの１つが開放故障により消灯した場合には、供給される駆動電流の量によっては、他の正常なＬＥＤに定格以上の電流が流れることがある。よって、さらなる故障を引き起こし、すべてのＬＥＤが故障するという事態も想定できる。
【０００９】
本技術は、上記のような問題を解決するためのものであり、複数のＬＥＤのうちの一部が故障した場合でも、故障していない残りのＬＥＤを適切に点灯させることができる光源制御装置および光源制御方法に関するものである。
【課題を解決するための手段】
【００１０】
本技術の一態様に関する光源制御装置は、並列接続された複数の光源を制御する光源制御装置であり、複数の前記光源の並列接続体へ電流を供給するために、前記並列接続体の一端および他端に接続される電流供給部と、前記並列接続体に印加される電圧を検出し、当該電圧を検出電圧として出力するために、前記並列接続体の一端および他端に接続される電圧検出部と、前記並列接続体における少なくとも１つの前記光源が故障した場合でも他の前記光源の点灯が継続できるように、前記検出電圧に基づいて前記電流供給部から前記並列接続体への電流供給を制御する制御部とを備える。
【００１１】
本技術の一態様に関する光源制御方法は、並列接続された複数の光源を制御する光源制御方法であり、複数の前記光源の並列接続体へ電流を供給し、前記並列接続体に印加される電圧を検出し、当該電圧を検出電圧として出力し、前記並列接続体における少なくとも１つの前記光源が故障した場合でも他の前記光源の点灯が継続できるように、前記検出電圧に基づいて前記並列接続体への電流供給を制御する。
【発明の効果】
【００１２】
本技術の一態様に関する光源制御装置は、並列接続された複数の光源を制御する光源制御装置であり、複数の前記光源の並列接続体へ電流を供給するために、前記並列接続体の一端および他端に接続される電流供給部と、前記並列接続体に印加される電圧を検出し、当該電圧を検出電圧として出力するために、前記並列接続体の一端および他端に接続される電圧検出部と、前記並列接続体における少なくとも１つの前記光源が故障した場合でも他の前記光源の点灯が継続できるように、前記検出電圧に基づいて前記電流供給部から前記並列接続体への電流供給を制御する制御部とを備える。
【００１３】
このような構成によれば、並列接続体に印加される検出電圧に基づいて制御することで、並列接続体における複数の光源のうちの一部が故障した場合でも、故障していない残りの光源を適切に点灯させることができる。
【００１４】
本技術の一態様に関する光源制御方法は、並列接続された複数の光源を制御する光源制御方法であり、複数の前記光源の並列接続体へ電流を供給し、前記並列接続体に印加される電圧を検出し、当該電圧を検出電圧として出力し、前記並列接続体における少なくとも１つの前記光源が故障した場合でも他の前記光源の点灯が継続できるように、前記検出電圧に基づいて前記並列接続体への電流供給を制御する。
【００１５】
このような構成によれば、並列接続体に印加される検出電圧に基づいて制御することで、並列接続体における複数の光源のうちの一部が故障した場合でも、故障していない残りの光源を適切に点灯させることができる。
【００１６】
本技術の目的、特徴、局面および利点は、以下の詳細な説明と添付図面とによって、より明白となる。
【図面の簡単な説明】
【００１７】
【図１】実施形態に関する光源制御装置の構成を概略的に示す図である。
【図２】図１に示される光源制御装置におけるＬＥＤの、順方向電圧と電流との関係性を示す図である。
【図３】マイコンの制御動作を示すフローチャート（前半）である。
【図４】マイコンの制御動作を示すフローチャート（後半）である。
【図５】変形例に関する光源制御装置の構成を概略的に示す図である。
【図６】実施形態に関する複数のＬＥＤを制御する光源制御装置の構成を概略的に示す図である。
【発明を実施するための形態】
【００１８】
以下、添付の図面を参照しながら実施形態について説明する。なお、図面は模式的に示されるものであり、異なる図面にそれぞれ示されている画像のサイズおよび位置の相互関係は、必ずしも正確に記載されるものではなく、適宜変更され得るものである。また、以下の説明では、同様の構成要素には同じ符号を付して図示し、それらの名称および機能についても同様のものとする。よって、それらについての詳細な説明を省略する場合がある。
【００１９】
＜実施形態＞
＜構成＞
以下、本実施形態に関する光源制御装置について説明する。説明の便宜上、まず、複数のＬＥＤ光源の点灯を制御する光源制御装置について説明する。なお、以下の実施形態では、光源としてＬＥＤを用いているが、光源はＬＥＤに限られるものではない。
【００２０】
図６は、複数のＬＥＤを制御する光源制御装置の構成を概略的に示す図である。図６に示されるように、光源制御装置は、マイコン９００ａと、定電流回路４００と、ＬＥＤ光源集合体１００とを備える。
【００２１】
ＬＥＤ光源集合体１００は、たとえば、ＬＥＤ１とＬＥＤ２とを備える。ＬＥＤ１およびＬＥＤ２は、互いに並列接続された、同じ所定の色（たとえば赤色）を発光するＬＥＤである。また、ＬＥＤ１およびＬＥＤ２は、供給される電流値に応じて発光する輝度、電圧Ｖｆ（順方向電圧）または定格電流などの、仕様および特性はすべて同じであり、２つ合わせて１つのＬＥＤ光源集合体１００と位置付けられる。なお、ＬＥＤ１に流れる電流を電流Ｉｆ１とし、ＬＥＤ２に流れる電流を電流Ｉｆ２とする。
【００２２】
ＬＥＤは、供給される電流に応じて、輝度を変化させられることが知られている。よって、使用者が希望する輝度を得るために、マイコン９００ａがＬＥＤに供給される駆動電流Ｉｆ０を制御する。
【００２３】
図１は、本実施形態に関する光源制御装置の構成を概略的に示す図である。図１に示されるように、光源制御装置は、マイコン９００と、定電流回路４００と、ＬＥＤ光源集合体１００と、抵抗１０１と、抵抗１０２と、Ｖｆ検出器３００と、スイッチ２０１と、スイッチ２０２と、スイッチ制御回路３０１と、スイッチ制御回路３０２と、ＡＤコンバーター５００と、表示装置６００と、記憶装置７００とを備える。
【００２４】
マイコン９００は、駆動電流を制御するマイクロコンピューターである。マイコン９００は、ＬＥＤに供給する駆動電流の電流値を設定する機能を有する。また、マイコン９００は、Ｖｆ検出器３００において検出された電圧Ｖｆ０のディジタル値を受信する機能を有する。
【００２５】
定電流回路４００は、後述するＬＥＤを使用者が希望する輝度で点灯させるため、マイコン９００において設定される電流値に対応して駆動電流Ｉｆ０をＬＥＤ光源集合体１００へ供給する回路である。定電流回路４００は、ＬＥＤ光源集合体１００の一端および他端に接続される。
【００２６】
ＬＥＤ光源集合体１００は、たとえば、ＬＥＤ１とＬＥＤ２とを備える。ＬＥＤ１およびＬＥＤ２は、互いに並列接続された、同じ所定の色（たとえば赤色）を発光する、たとえば定格電流が１２Ａ程度であるＬＥＤである。また、ＬＥＤ１およびＬＥＤ２は、供給される電流値に応じて発光する輝度、電圧Ｖｆ（順方向電圧）または定格電流などの、仕様および特性はすべて同じであり、２つ合わせて１つのＬＥＤ光源集合体１００と位置付けられる。なお、ＬＥＤ１に流れる電流を電流Ｉｆ１とし、ＬＥＤ２に流れる電流を電流Ｉｆ２とする。
【００２７】
Ｖｆ検出器３００は、電圧Ｖｆ０を検出するための検出器である。ここで、電圧Ｖｆ０は、図１に示されるように、並列接続された各ＬＥＤの経路の両端の電位であり、抵抗１０１および抵抗１０２は、電圧Ｖｆ０の検出精度を高めるために配置される抵抗である。なお、抵抗１０１の抵抗値および抵抗１０２の抵抗値は、対応するＬＥＤに印加される電圧値が十分に大きくなるように、十分小さい値に設定されることが望ましい。
【００２８】
スイッチ２０１は、ＬＥＤ１が故障した場合に備えて、ＬＥＤ１への電流供給を遮断するためのスイッチである。スイッチ２０１は、たとえば電界効果トランジスタ（ｆｉｅｌｄ−ｅｆｆｅｃｔ  ｔｒａｎｓｉｓｔｏｒ、すなわちＦＥＴ）などで構成される。
【００２９】
スイッチ２０２は、ＬＥＤ２が故障した場合に備えて、ＬＥＤ２への電流供給を遮断するためのスイッチである。スイッチ２０２は、たとえばＦＥＴなどで構成される。
【００３０】
スイッチ制御回路３０１は、マイコン９００からの制御信号をＩＩＣバスを介して受け取り、スイッチ２０１のＯＮ／ＯＦＦ制御を行う制御回路である。
【００３１】
スイッチ制御回路３０２は、マイコン９００からの制御信号をＩＩＣバスを介して受け取り、スイッチ２０２のＯＮ／ＯＦＦ制御を行う制御回路である。
【００３２】
ＡＤコンバーター５００は、Ｖｆ検出器３００において検出された電圧Ｖｆの電圧レベルを、あらかじめ定められた法則に基づき所定のディジタル値に変換する。そして、ＡＤコンバーター５００は、マイコン９００からの要求にしたがい、そのディジタル値を伝送する。
【００３３】
表示装置６００は、マイコン９００からの入力信号に基づいて、ＬＥＤに関する情報、具体的には、どのＬＥＤが故障しているかについての情報、さらには、その故障が開放故障であるのか短絡故障であるのかについての情報を含む情報を表示する。なお、表示装置６００は、備えられていなくともよい。
【００３４】
記憶装置７００は、Ｖｆ検出器３００において検出される電圧Ｖｆ０を記憶する。なお、記憶装置７００は、光源制御装置内に備えられるものに限らず、外部に備えられ、マイコン９００と通信することによって情報を受け取り、当該情報を記憶する装置であってもよい。
【００３５】
図２は、図１に示される光源制御装置におけるＬＥＤ１およびＬＥＤ２の、順方向電圧と電流との関係性を示す図である。図２においては、縦軸が電圧Ｖｆｎ［Ｖ］を示し、横軸が電流Ｉｆｎ［Ａ］を示す。ここでは、ｎは、１または２を示す。
【００３６】
図１における、抵抗１０１（抵抗Ｒ１）に印加される電圧を電圧ＶＲ１とし、ＬＥＤ１に印加される電圧を電圧Ｖｆ１とし、抵抗１０２（抵抗Ｒ２）に印加される電圧を電圧ＶＲ２とし、ＬＥＤ２に印加される電圧を電圧Ｖｆ２とする場合、Ｖｆ検出器３００において検出されるＶｆ０には、以下の式１が成り立つ。
【００３７】
【数１】
2016162712.tif 000003
【００３８】
＜動作＞
次に、本実施形態に関する光源制御装置の動作について説明する。
【００３９】
本実施形態に関する光源制御装置においては、使用者が要求する輝度でＬＥＤ１およびＬＥＤ２を点灯させるため、マイコン９００が、ＬＥＤ１およびＬＥＤ２に供給する駆動電流Ｉｆ０の電流値を設定する。そして、マイコン９００は、定電流回路４００に対し設定した駆動電流Ｉｆ０の電流値に関する信号を送信する。ＬＥＤ１およびＬＥＤ２が点灯することによって、たとえば、映像を表示することができる。
【００４０】
まず、正常な動作が行われる場合について説明する。
【００４１】
マイコン９００は、Ｖｆ検出器３００において検出された電圧Ｖｆ０に関する信号を受け取り、ＬＥＤ１およびＬＥＤ２が正常に作動しているかどうかを監視する。たとえば、すべてのＬＥＤ（ここでは、ＬＥＤ１およびＬＥＤ２）が正常に作動している場合、１つのＶｆ検出器３００において検出される電圧Ｖｆ０を、記憶装置７００においてあらかじめ記憶しておく。ここで、マイコン９００により駆動電流Ｉｆ０が２０Ａに設定された場合、ＬＥＤ１およびＬＥＤ２には、それぞれ１０Ａの電流が流れることとなる。この場合において、式１の関係から、Ｖｆ検出器３００において検出される電圧Ｖｆ０は、
【００４２】
【数２】
2016162712.tif 000004
【００４３】
となる。
【００４４】
また、図２に示されたグラフから、電流Ｉｆ１が１０Ａである場合には、電圧Ｖｆ１が１．５Ｖとなることが分かる。ここで、抵抗Ｒ１および抵抗Ｒ２が、たとえば１ｍΩであるとすると、検出される電圧Ｖｆ０は、
【００４５】
【数３】
2016162712.tif 000005
【００４６】
となる。
【００４７】
この場合、マイコン９００は、ＡＤコンバーター５００を介して所定の時間間隔（たとえば１秒間隔など）で電圧Ｖｆ０に関する信号を受け取り、先に記憶しておいた電圧値と同じであれば、２つのＬＥＤ１およびＬＥＤ２は正常に作動していると判断する。そして、マイコン９００は、映像を表示するための光源として、そのままＬＥＤ１およびＬＥＤ２を点灯させ続ける。
【００４８】
次に、たとえばＬＥＤ２に開放故障が発生した場合について説明する。
【００４９】
駆動電流Ｉｆ０が２０Ａであったとすると、ＬＥＤ２には電流が流れないため、ＬＥＤ１に流れる電流は、上記の正常動作の場合の１０Ａから２０Ａへと上昇する。すなわち、正常動作時の２倍の電流値となる。この場合、図２に示されたグラフから、電流Ｉｆ１が２０Ａである場合には、電圧Ｖｆ１が２Ｖとなることが分かる。ここで、抵抗Ｒ１および抵抗Ｒ２が、たとえば１ｍΩであるとすると、検出される電圧Ｖｆ０は、
【００５０】
【数４】
2016162712.tif 000006
【００５１】
となる。
【００５２】
正常時にはＶｆ０＝１．５１［Ｖ］であったが、ＬＥＤに開放故障が発生した場合には、故障していない残りのＬＥＤに印加される電圧Ｖｆ１が上昇し、また、抵抗１０１の両端に印加される電圧ＶＲ１も上昇する。よって、それらの総和である電圧Ｖｆ０の値が大きくなる。
【００５３】
すなわち、電圧Ｖｆ０の値が正常時よりも大きくなった場合に、マイコン９００が、開放故障が生じたと判断することができる。
【００５４】
次に、たとえばＬＥＤ２に短絡故障が発生した場合について説明する。
【００５５】
ＬＥＤ２に短絡故障が発生した場合、ＬＥＤ１には電流が流れず、ＬＥＤ２に電流が流れることとなる。しかし、ＬＥＤ２が短絡故障しているため電圧Ｖｆ２は発生せず、抵抗１０２の両端に印加される電圧ＶＲ２だけを考えればよい。上記の開放故障の場合と同様に、駆動電流Ｉｆ０が２０Ａであり、抵抗Ｒ１および抵抗Ｒ２が、たとえば１ｍΩであるとすると、検出される電圧Ｖｆ０は、
【００５６】
【数５】
2016162712.tif 000007
【００５７】
となる。
【００５８】
正常時にはＶｆ０＝１．５１［Ｖ］であったが、ＬＥＤに短絡故障が発生した場合には、故障していない残りのＬＥＤ１には電圧が印加されず、また、抵抗１０２の両端に印加される電圧ＶＲ２のみの値となる。よって、それらの総和である電圧Ｖｆ０の値が小さくなる。
【００５９】
すなわち、電圧Ｖｆ０の値が正常時よりも小さくなった場合に、マイコン９００が、短絡故障が生じたと判断することができる。
【００６０】
次に、スイッチ制御回路３０１およびスイッチ制御回路３０２を制御することにより、いずれのＬＥＤが故障したかを特定できることについて説明する。
【００６１】
まず、マイコン９００がスイッチ制御回路３０１およびスイッチ制御回路３０２を制御し、スイッチ制御回路３０１に対応するスイッチ２０１、および、スイッチ制御回路３０２に対応するスイッチ２０２のＯＮ／ＯＦＦ制御を実行させる。ここで、たとえば、駆動電流Ｉｆ０の値を１０Ａ、ＬＥＤ１およびＬＥＤ２の定格電流値を１２Ａとする。
【００６２】
たとえば、ＬＥＤ２に開放故障が発生した場合に、スイッチ２０２をＯＮ、スイッチ２０１をＯＦＦにそれぞれ制御すると、ＬＥＤ１の経路には電流が流れず、またＬＥＤ２の経路にも電流が流れない。したがって、電圧Ｖｆ０を検出した結果は、
【００６３】
【数６】
2016162712.tif 000008
【００６４】
となる。
【００６５】
また、たとえば、ＬＥＤ２に開放故障が発生した場合に、スイッチ２０１をＯＮ、スイッチ２０２をＯＦＦにそれぞれ制御すると、式１の関係から、
【００６６】
【数７】
2016162712.tif 000009
【００６７】
となる。
【００６８】
このようにして、各スイッチのＯＮ／ＯＦＦ制御により、検出される電圧Ｖｆ０が異なる、具体的には、故障が発生したＬＥＤに印加される電圧が開放電圧となることから、開放故障が発生したＬＥＤがＬＥＤ２であると判定することができる。
【００６９】
次に、たとえば、ＬＥＤ２に短絡故障が発生した場合に、スイッチ２０２をＯＮ、スイッチ２０１をＯＦＦにそれぞれ制御すると、ＬＥＤ１の経路には電流が流れず、ＬＥＤ２の経路にのみ電流が供給される。ＬＥＤ２は短絡故障しているため、Ｖｆ２＝０［Ｖ］となる。したがって、式１の関係から、
【００７０】
【数８】
2016162712.tif 000010
【００７１】
となる。
【００７２】
また、たとえば、ＬＥＤ２に短絡故障が発生した場合に、スイッチ２０１をＯＮ、スイッチ２０２をＯＦＦにそれぞれ制御すると、ＬＥＤ１に電流が流れるため、式１の関係から、
【００７３】
【数９】
2016162712.tif 000011
【００７４】
となる。
【００７５】
このようにして、各スイッチのＯＮ／ＯＦＦ制御により、検出される電圧Ｖｆ０が異なる、具体的には、故障が発生したＬＥＤに印加される電圧が小さくなることから、短絡故障が発生したＬＥＤがＬＥＤ２であると判定することができる。
【００７６】
次に、ＬＥＤに故障が発生した場合の、マイコン９００による駆動電流の制御について説明する。具体的には、マイコン９００が、故障していない残りのＬＥＤに供給される駆動電流が適切か否かを判断し、適切である場合は駆動電流の再設定を行わず、適切でない場合は駆動電流の再設定を行うことについて説明する。
【００７７】
図３および図４は、マイコン９００の上記の制御動作を示すフローチャートである。
【００７８】
まず、使用者が要求する輝度でＬＥＤ１およびＬＥＤ２を点灯させるため、マイコン９００が、ＬＥＤ１およびＬＥＤ２に供給する駆動電流Ｉｆ０の電流値を設定する（ステップＳＴ１を参照）。そして、当該駆動電流Ｉｆ０にしたがって正常にＬＥＤが作動している場合に、マイコン９００は、Ｖｆ検出器３００において検出された電圧Ｖｆ０を所定の時間間隔で記憶装置７００において記憶しておく（ステップＳＴ２を参照）。すでに記憶された電圧Ｖｆ０を、正常時の電圧Ｖｆ０’とする。
【００７９】
次に、マイコン９００は、Ｖｆ検出器３００において検出された電圧Ｖｆ０の電圧値と、正常時の電圧Ｖｆ０’の電圧値、すなわち、先に記憶しておいた電圧値とを比較する（ステップＳＴ３を参照）。そして、検出された電圧Ｖｆ０と正常時の電圧Ｖｆ０’とが等しい値であれば（ＹＥＳに対応）、マイコン９００はＬＥＤが正常であると判定し、ステップＳＴ４へ進む。一方で、検出された電圧Ｖｆ０と正常時の電圧Ｖｆ０’とが異なる値であれば（ＮＯに対応）、マイコン９００は、ＬＥＤの故障判定を行うためにステップＳＴ５へ進む。ステップＳＴ４に進んだ場合は、検出された電圧Ｖｆ０を正常時の電圧Ｖｆ０’として記憶すべく、ステップＳＴ２へ戻る。
【００８０】
次に、マイコン９００は、検出された電圧Ｖｆ０が正常時の電圧Ｖｆ０’よりも高いか否かを判定する（ステップＳＴ５を参照）。そして、マイコン９００は、検出された電圧Ｖｆ０が正常時の電圧Ｖｆ０’よりも高ければ（ＹＥＳに対応）、開放故障が発生していると判断する（ステップＳＴ６を参照）。一方で、マイコン９００は、検出された電圧Ｖｆ０が正常時の電圧Ｖｆ０’よりも低ければ（ＮＯに対応）、短絡故障が発生していると判断する（ステップＳＴ７を参照）。
【００８１】
開放故障が発生していると判断した場合、マイコン９００は、並列接続された複数のＬＥＤのうちの１つのみに電流が供給されるようにスイッチ２０１およびスイッチ２０２を制御させ、各ＬＥＤに電流が供給された際にＶｆ検出器３００において順次検出された電圧Ｖｆ０を比較する（ステップＳＴ８を参照）。
【００８２】
そして、マイコン９００は、検出された電圧Ｖｆ０が開放電圧であった場合に、当該電圧が印加されたＬＥＤが開放故障が発生したＬＥＤであると判断する（ステップＳＴ９を参照）。
【００８３】
そして、マイコン９００は、故障していない残りのＬＥＤに流れる電流が、各ＬＥＤの定格電流値より小さいか否かを判定する（ステップＳＴ１０を参照）。故障していない残りのＬＥＤに流れる電流が、各ＬＥＤの定格電流値より小さい場合（ＹＥＳに対応）には、ステップＳＴ１１に進む。故障していない残りのＬＥＤに流れる電流が、各ＬＥＤの定格電流値以上である場合（ＮＯに対応）には、ステップＳＴ１２に進む。
【００８４】
ステップＳＴ１１に進んだ場合、マイコン９００は、駆動電流Ｉｆ０の設定を変更しない。一方、ステップＳＴ１２に進んだ場合、マイコン９００は、故障していない残りのＬＥＤに流れる電流が、各ＬＥＤの定格電流値より小さくなるように、駆動電流Ｉｆ０の再設定を行う。
【００８５】
たとえば、ＬＥＤ１の定格電流値およびＬＥＤ２の定格電流値がそれぞれ１２Ａで、駆動電流Ｉｆ０の電流値が１０Ａである場合に、ＬＥＤ２に開放故障が発生したとする。この場合、ＬＥＤ２には電流が流れないため、ＬＥＤ１に１０Ａの電流が流れる。ここで、ＬＥＤ１に流れる電流Ｉｆ１の電流値が定格電流値を超えていないため、駆動電流Ｉｆ０の再設定をすること必要はない。よって、ＬＥＤ１をそのまま点灯させ続けることができる。
【００８６】
また、たとえば、ＬＥＤ１の定格電流値およびＬＥＤ２の定格電流値がそれぞれ１２Ａで、駆動電流Ｉｆ０の電流値が２０Ａである場合に、ＬＥＤ２に開放故障が発生したとする。この場合、ＬＥＤ２には電流が流れないため、ＬＥＤ１に２０Ａの電流が流れる。ここで、ＬＥＤ１に流れる電流Ｉｆ１の電流値が定格電流値を超えているため、ＬＥＤ１をさらに故障させる恐れがある。そこで、マイコン９００は、ＬＥＤ１に流れる電流Ｉｆ１の電流値がたとえば１０Ａとなるように駆動電流Ｉｆ０を再設定する。これにより、ＬＥＤ１に流れる電流Ｉｆ１の電流値は１０Ａとなり、定格電流値内に抑えることができる。
【００８７】
すなわち、マイコン９００においては、下記の式２に該当するか否かを判定し、該当すると判定できる場合には駆動電流Ｉｆ０の設定はそのままにしておき、一方で、該当しないと判定できる場合には駆動電流Ｉｆ０を再設定し、下記の式２に該当すると判定できる電流値にするように、プログラミングされている。
【００８８】
【数１０】
2016162712.tif 000012
【００８９】
そして、故障発覚後の駆動電流Ｉｆ０が適切か否かの判定の後、マイコン９００は、故障していないＬＥＤにのみ電流が供給されるように、スイッチ２０１およびスイッチ２０２を制御させる（ステップＳＴ１３を参照）。ＬＥＤ２が故障している場合であれば、ＩＩＣバスを介してスイッチ制御回路３０２を制御し、スイッチ２０２をＯＦＦに制御する。スイッチ２０２がＯＦＦに制御されることによって、駆動電流Ｉｆ０（たとえば１０Ａ）はＬＥＤ１のみに供給される。すなわち、
【００９０】
【数１１】
2016162712.tif 000013
【００９１】
が供給され、ＬＥＤ１が点灯する。よって、たとえば、正常に映像を表示させることができる。
【００９２】
さらに、マイコン９００は、表示装置６００に対し、ＬＥＤに関する情報、たとえば、どのＬＥＤが故障しているかについての情報、さらには、その故障が開放故障であるのか短絡故障であるのかについての情報を送信する。そして、マイコン９００は、表示装置６００において、ＬＥＤに関する情報を表示させる（ステップＳＴ１４を参照）。
【００９３】
一方、短絡故障が発生していると判断した場合、マイコン９００は、並列接続された複数のＬＥＤのうちの１つのみに電流が供給されるようにスイッチ２０１およびスイッチ２０２を制御させ、各ＬＥＤに電流が供給された際にＶｆ検出器３００において順次検出された電圧Ｖｆ０を比較する（ステップＳＴ１５を参照）。
【００９４】
そして、マイコン９００は、検出された電圧Ｖｆ０から、印加された電圧が他のＬＥＤにおいて印加された電圧よりも低いＬＥＤがあった場合に、当該ＬＥＤが短絡故障が発生したＬＥＤであると判断する（ステップＳＴ１６を参照）。
【００９５】
そして、マイコン９００は、故障していない残りのＬＥＤに流れるはずの電流が、各ＬＥＤの定格電流値より小さいか否かを判定する（ステップＳＴ１７を参照）。故障していない残りのＬＥＤに流れるはずの電流が、各ＬＥＤの定格電流値より小さい場合（ＹＥＳに対応）には、ステップＳＴ１８に進む。故障していない残りのＬＥＤに流れるはずの電流が、各ＬＥＤの定格電流値以上である場合（ＮＯに対応）には、ステップＳＴ１９に進む。
【００９６】
ステップＳＴ１８に進んだ場合、マイコン９００は、駆動電流Ｉｆ０の設定を変更しない。一方、ステップＳＴ１９に進んだ場合、マイコン９００は、故障していない残りのＬＥＤに流れるはずの電流が、各ＬＥＤの定格電流値より小さくなるように、駆動電流Ｉｆ０の再設定を行う。
【００９７】
たとえば、ＬＥＤ１の定格電流値およびＬＥＤ２の定格電流値がそれぞれ１２Ａで、駆動電流Ｉｆ０の電流値が１０Ａである場合に、ＬＥＤ２に短絡故障が発生したとする。この場合、ＬＥＤ２には１０Ａの電流が流れるが、当該電流値は定格電流値を超えていない。同様に、ＬＥＤ１においても、１０Ａの電流が流れることによっては定格電流値を超えない。そのため、駆動電流Ｉｆ０の再設定を行う必要はない。よって、スイッチ２０１をＯＮ、スイッチ２０２をＯＦＦにそれぞれ制御することにより、ＬＥＤ１に電流を流し、ＬＥＤ１を点灯させ続けることができる。
【００９８】
また、たとえば、ＬＥＤ１の定格電流値およびＬＥＤ２の定格電流値がそれぞれ１２Ａで、駆動電流Ｉｆ０の電流値が２０Ａである場合に、ＬＥＤ２に短絡故障が発生したとする。この場合、ＬＥＤ２には２０Ａの電流が流れ、当該電流の電流値が定格電流値を超えている。同様に、ＬＥＤ１においても、２０Ａの電流が流れると定格電流値を超えることとなる。そのため、マイコン９００が、駆動電流Ｉｆ０の再設定を行う必要がある。
【００９９】
具体的には、マイコン９００において、式２に該当するか否かを判定し、式２を満たすように駆動電流Ｉｆ０を制御する。ここでは、マイコン９００により、駆動電流Ｉｆ０の設定値が１０Ａに再設定されることにより、ＬＥＤ１に流れる電流値を定格電流値内に抑え、残りのＬＥＤの故障を誘発せずに適切な電流を供給してＬＥＤ１を点灯させる。
【０１００】
そして、故障発覚後の駆動電流Ｉｆ０が適切か否かの判定の後、マイコン９００は、故障していないＬＥＤにのみ電流が供給されるように、スイッチ２０１およびスイッチ２０２を制御させる（ステップＳＴ１３を参照）。よって、たとえば、正常な映像を表示させることができる。
【０１０１】
さらに、マイコン９００は、表示装置６００に対し、ＬＥＤに関する情報、たとえば、どのＬＥＤが故障しているかについての情報、さらには、その故障が開放故障であるのか短絡故障であるのかについての情報を送信する。そして、マイコン９００は、表示装置６００において、ＬＥＤに関する情報を表示させる（ステップＳＴ１４を参照）。
【０１０２】
＜効果＞
以下に、上記の実施形態による効果を例示する。
【０１０３】
上記の実施形態によれば、光源制御装置が、電流供給部に含まれる定電流回路４００と、電圧検出部に含まれるＶｆ検出器３００と、制御部に含まれるマイコン９００とを備える。
【０１０４】
定電流回路４００は、複数の光源の並列接続体に含まれるＬＥＤ光源集合体１００へ電流を供給するために、ＬＥＤ光源集合体１００の一端および他端に接続される。光源には、ＬＥＤ１およびＬＥＤ２が含まれる。
【０１０５】
Ｖｆ検出器３００は、ＬＥＤ光源集合体１００に印加される電圧Ｖｆ０を検出し、当該電圧Ｖｆ０を検出電圧として出力するために、ＬＥＤ光源集合体１００の一端および他端に接続される。
【０１０６】
マイコン９００は、ＬＥＤ光源集合体１００における少なくとも１つのＬＥＤが故障した場合でも他のＬＥＤの点灯が継続できるように、検出電圧に基づいて定電流回路４００からＬＥＤ光源集合体１００への電流供給を制御する。
【０１０７】
なお、ＬＥＤ光源集合体１００は、ＬＥＤ光源集合体１００ａと入れ替えることもできる。以下の記載においても、矛盾のない範囲で、同様に入れ替え可能である。
【０１０８】
このような構成によれば、ＬＥＤ光源集合体１００に印加される検出電圧に基づいて制御することで、並列接続体における複数のＬＥＤのうちの一部が故障した場合でも、故障していない残りのＬＥＤを適切に点灯させることができる。
【０１０９】
また、並列接続されるＬＥＤの数に関わらず、１つのＶｆ検出器３００を用いて、ＬＥＤ光源集合体１００に印加される電圧を検出すれば足りるため、構成が簡易である。
【０１１０】
なお、これらの構成以外の構成については適宜省略することができるが、本明細書に示される少なくとも１つの他の構成を適宜追加した場合でも、上記の効果を生じさせることができる。
【０１１１】
また、上記の実施形態によれば、光源制御装置が、ＬＥＤ光源集合体１００の各並列電流経路において、各ＬＥＤに直列に接続されたスイッチ２０１およびスイッチ２０２を備える。
【０１１２】
Ｖｆ検出器３００は、ＬＥＤ光源集合体１００に印加される電圧を時系列に沿って順次検出する。マイコン９００は、検出電圧が上昇した場合に、複数のＬＥＤのうちの１つのＬＥＤのみへ電流が供給されるように、スイッチ２０１およびスイッチ２０２を制御する。
【０１１３】
また、Ｖｆ検出器３００は、スイッチ２０１およびスイッチ２０２の制御によって電流供給された各ＬＥＤに印加される電圧を検出し、当該電圧を単独電圧として出力する。
【０１１４】
また、マイコン９００は、単独電圧が開放電圧である場合に、当該単独電圧が印加されるＬＥＤへの電流供給が遮断されるように、スイッチ２０１およびスイッチ２０２を制御する。
【０１１５】
このような構成によれば、印加される電圧が開放電圧となっているＬＥＤが開放故障していることを特定できるため、開放故障しているＬＥＤへの電流供給を遮断することができる。また、故障していない他のＬＥＤへの電流供給は適切に継続できるため、並列接続体における複数のＬＥＤのうちの一部が故障した場合でも、故障していない残りのＬＥＤを適切に点灯させることができる。
【０１１６】
また、上記の実施形態によれば、光源制御装置が、ＬＥＤ光源集合体１００の各並列電流経路において、各ＬＥＤに直列に接続されたスイッチ２０１およびスイッチ２０２を備える。
【０１１７】
Ｖｆ検出器３００は、ＬＥＤ光源集合体１００に印加される電圧を時系列に沿って順次検出する。マイコン９００は、検出電圧が下降した場合に、複数のＬＥＤのうちの１つのＬＥＤのみへ電流が供給されるように、スイッチ２０１およびスイッチ２０２を制御する。
【０１１８】
また、Ｖｆ検出器３００は、スイッチ２０１およびスイッチ２０２の制御によって電流供給された各ＬＥＤに印加される電圧を検出し、当該電圧を単独電圧として出力する。
【０１１９】
また、マイコン９００は、その単独電圧が他のＬＥＤに印加される単独電圧よりも低いＬＥＤへの電流供給が遮断されるように、スイッチ２０１およびスイッチ２０２を制御する。
【０１２０】
このような構成によれば、印加される電圧が低い電圧となっているＬＥＤが短絡故障していることを特定できるため、短絡故障しているＬＥＤへの電流供給を遮断することができる。また、故障していない他のＬＥＤへの電流供給は適切に継続できるため、並列接続体における複数のＬＥＤのうちの一部が故障した場合でも、故障していない残りのＬＥＤを適切に点灯させることができる。
【０１２１】
また、上記の実施形態によれば、光源制御装置が、電流供給が遮断されたＬＥＤに関する情報を表示する表示部に含まれる表示装置６００を備える。
【０１２２】
このような構成によれば、使用者などに対し、どのＬＥＤが故障しているか、さらには、当該ＬＥＤにどのような故障が生じているかについての情報を示すことができる。よって、故障したＬＥＤの交換を行い、すべてのＬＥＤが故障する前に光源を復旧させることに利用することができる。
【０１２３】
また、上記の実施形態によれば、マイコン９００が、複数のＬＥＤの定格電流値より小さくなるように、ＬＥＤ光源集合体１００への電流供給を制御する。
【０１２４】
このような構成によれば、並列接続体におけるいずれかのＬＥＤが故障し、故障していない残りのＬＥＤに電流を供給する場合であっても、それらのＬＥＤの定格電流値より小さい電流値で電流供給することができる。よって、故障していない残りのＬＥＤにさらなる故障を引き起こさずに、適切に点灯させ続けることができる。
【０１２５】
また、上記の実施形態によれば、光源制御方法において、複数のＬＥＤのＬＥＤ光源集合体１００へ電流を供給する。そして、ＬＥＤ光源集合体１００に印加される電圧を検出し、当該電圧を検出電圧として出力する。そして、ＬＥＤ光源集合体１００における少なくとも１つのＬＥＤが故障した場合でも他のＬＥＤの点灯が継続できるように、検出電圧に基づいてＬＥＤ光源集合体１００への電流供給を制御する。
【０１２６】
このような構成によれば、ＬＥＤ光源集合体１００に印加される検出電圧に基づいて制御することで、並列接続体における複数のＬＥＤのうちの一部が故障した場合でも、故障していない残りのＬＥＤを適切に点灯させることができる。
【０１２７】
なお、これらの構成以外の構成については適宜省略することができるが、本明細書に示される少なくとも１つの他の構成を適宜追加した場合でも、上記の効果を生じさせることができる。
【０１２８】
また、上記の実施形態によれば、光源制御方法において、ＬＥＤ光源集合体１００に印加される電圧を時系列に沿って順次検出する。そして、検出電圧が上昇した場合に、複数のＬＥＤのうちの１つのＬＥＤのみへ電流が供給されるように、スイッチ２０１およびスイッチ２０２を制御する。そして、スイッチ２０１およびスイッチ２０２の制御によって電流供給された各ＬＥＤに印加される電圧を検出し、当該電圧を単独電圧として出力する。そして、単独電圧が開放電圧である場合に、当該単独電圧が印加されるＬＥＤへの電流供給が遮断されるように、スイッチ２０１およびスイッチ２０２を制御する。
【０１２９】
このような構成によれば、印加される電圧が開放電圧となっているＬＥＤが開放故障していることを特定できるため、開放故障しているＬＥＤへの電流供給を遮断することができる。また、故障していない他のＬＥＤへの電流供給は適切に継続できるため、並列接続体における複数のＬＥＤのうちの一部が故障した場合でも、故障していない残りのＬＥＤを適切に点灯させることができる。
【０１３０】
また、上記の実施形態によれば、光源制御方法において、ＬＥＤ光源集合体１００に印加される電圧を時系列に沿って順次検出する。そして、検出電圧が下降した場合に、複数のＬＥＤのうちの１つのＬＥＤのみへ電流が供給されるように、スイッチ２０１およびスイッチ２０２を制御する。そして、スイッチ２０１およびスイッチ２０２の制御によって電流供給された各ＬＥＤに印加される電圧を検出し、当該電圧を単独電圧として出力する。そして、単独電圧が他のＬＥＤに印加される単独電圧よりも低いＬＥＤへの電流供給が遮断されるように、スイッチ２０１およびスイッチ２０２を制御する。
【０１３１】
このような構成によれば、印加される電圧が低い電圧となっているＬＥＤが短絡故障していることを特定できるため、短絡故障しているＬＥＤへの電流供給を遮断することができる。また、故障していない他のＬＥＤへの電流供給は適切に継続できるため、並列接続体における複数のＬＥＤのうちの一部が故障した場合でも、故障していない残りのＬＥＤを適切に点灯させることができる。
【０１３２】
＜変形例＞
本実施形態では、故障が生じたと判断した場合、スイッチ２０１およびスイッチ２０２を制御することによって故障したＬＥＤに対する電流供給を止めていたが、スイッチ２０１およびスイッチ２０２、さらには、スイッチ制御回路３０１およびスイッチ制御回路３０２を用いずに、定電流回路において各ＬＥＤに供給する電流を制御するように構成してもよい。
【０１３３】
この場合、スイッチ２０１およびスイッチ２０２、さらには、スイッチ制御回路３０１およびスイッチ制御回路３０２を取り除いた、より簡易的な構成とすることができる。当該光源制御装置においては、たとえば、ＬＥＤ２に開放故障が生じたと判断した場合、定電流回路においてＬＥＤ１に流れる電流が電流定格値を超えないように制御すればよい。
【０１３４】
また、本実施形態においては、ＬＥＤ光源が２つ備えられる場合について説明したが、より多くのＬＥＤが並列接続されている場合であってもよい。
【０１３５】
図５は、変形例に関する光源制御装置の構成を概略的に示す図である。図５に示されるように、光源制御装置は、マイコン９００と、定電流回路４００と、ＬＥＤ光源集合体１００ａと、抵抗と、Ｖｆ検出器３００と、スイッチと、スイッチ制御回路と、ＡＤコンバーター５００と、表示装置６００と、記憶装置７００とを備える。
【０１３６】
ＬＥＤ光源集合体１００ａは、互いに並列接続されたｎ個のＬＥＤを備える。抵抗は、ＬＥＤ光源集合体１００ａにおける各ＬＥＤに対応してｎ個備えられる。スイッチは、ＬＥＤ光源集合体１００ａにおける各ＬＥＤに対応してｎ個備えられる。スイッチ制御回路は、各スイッチに対応してｎ個備えられる。Ｖｆ検出器３００は、並列接続された各ＬＥＤの経路の両端の電圧Ｖｆ０を検出する。
【０１３７】
また、故障したＬＥＤを特定する場合には、複数のＬＥＤのうちの１つに対応するスイッチのみをＯＮに制御して、検出される電圧を比較する。
【０１３８】
このような構成であれば、すべてのＬＥＤの故障を把握することができる。さらに、残りのＬＥＤの故障を誘発せずに、適切な電流を供給して点灯させることができる。よって、映像を表示するための光源を継続して提供できるとともに、故障したＬＥＤの情報についても提供することができる。
【０１３９】
また、本実施形態においては、正常時に記憶していた電圧Ｖｆ０’の電圧値と、Ｖｆ検出器３００において検出された電圧Ｖｆ０の電圧値とを比較し、異なる値であればＬＥＤの故障判定を行い、同じである場合はＬＥＤが正常であると判定していた。
【０１４０】
しかし、正常時に記憶していた電圧Ｖｆ０’の電圧値と、Ｖｆ検出器３００において検出された電圧Ｖｆ０の電圧値とを比較する際には、たとえば、回路を構成する素子のばらつきまたは測定誤差などを考慮する必要がある。
【０１４１】
そこで、たとえば、Ｖｆ検出器３００において検出された電圧Ｖｆ０の電圧値が２Ｖであれば、１．８Ｖ以上２．２Ｖ以下などの許容できる範囲をあらかじめ定めておき、Ｖｆ検出器３００において検出された電圧Ｖｆ０の電圧値が当該範囲内であれば、ＬＥＤが正常であると判定し、Ｖｆ検出器３００において検出された電圧Ｖｆ０の電圧値が当該範囲外であれば、ＬＥＤの故障判定を行うように制御してもよい。
【０１４２】
また、本実施形態では、マイコン９００が得たＬＥＤに関する情報、具体的には、どのＬＥＤが故障しているかについての情報、さらには、その故障が開放故障であるのか短絡故障であるのかについての情報を含む情報を、光源制御装置を制御する制御用パソコン（ここでは図示せず）または液晶表示装置（ここでは図示せず）などに送信して表示させることにより、ＬＥＤに関する情報を使用者に開示することができる。よって、故障したＬＥＤの交換を行い、すべてのＬＥＤが故障する前に光源を復旧させることに利用することができる。
【０１４３】
また、本実施形態では、ＬＥＤを光源とする場合の光源制御装置について説明したが、光源はこれに限られるものではなく、たとえばレーザーなど、他の半導体光源が用いられる場合であっても、同様の効果を得ることができる。
【０１４４】
また、本実施形態では、各スイッチの制御を、あらかじめプログラミングされたマイコン９００が行う場合について述べられているが、ハードウェアで構成された制御回路により、各スイッチまたは定電流回路などの制御を行うように構成した場合であっても、同等の効果を得ることができる。
【０１４５】
上記実施形態では、各構成要素の材質、材料、寸法、形状、相対的配置関係または実施の条件などについても記載している場合があるが、これらはすべての局面において例示であって、本明細書に記載されたものに限られることはない。よって、例示されていない無数の変形例が、本技術の範囲内において想定される。たとえば、少なくとも１つの構成要素を変形する場合、追加する場合または省略する場合が含まれる。
【０１４６】
また、矛盾が生じない限り、上記実施形態において「１つ」備えられるものとして記載された構成要素は、「１つ以上」備えられていてもよい。さらに、各構成要素は概念的な単位であって、１つの構成要素が複数の構造物から成る場合および１つの構成要素がある構造物の一部に対応する場合、さらには、複数の構成要素が１つの構造物に備えられる場合を含む。また、各構成要素には、同一の機能を発揮する限り、他の構造または形状を有する構造物が含まれる。
【０１４７】
また、本明細書における説明は、本技術のすべての目的のために参照され、いずれも、従来技術であると認めるものではない。
【符号の説明】
【０１４８】
１，２  ＬＥＤ、１００，１００ａ  ＬＥＤ光源集合体、１０１，１０２  抵抗、２０１，２０２  スイッチ、３００  Ｖｆ検出器、３０１，３０２  スイッチ制御回路、４００  定電流回路、５００  ＡＤコンバーター、６００  表示装置、７００  記憶装置、９００，９００ａ  マイコン。
【図１】
2016162712.tif 000014
【図２】
2016162712.tif 000015
【図３】
2016162712.tif 000016
【図４】
2016162712.tif 000017
【図５】
2016162712.tif 000018
【図６】
2016162712.tif 000019